(57)【要約】【課題】室内ユニットの大型化を極力防ぎつつ、十分な加湿量の確保及び加湿時の省電力化が可能な空気調和装置を実現する。【解決手段】空気調和装置１は、室外ユニット２と、室外ユニット２と分離されて設けられた室内ユニット５と、水搬送管９と、加湿部材６１とを備えている。室内ユニット５は、室内熱交換器５１と、室内熱交換器５１の下側に配置されたドレンパン５２とを有している。水搬送管９は、室内ユニット５の外部からドレンパン５２に水を導入する。加湿部材６１は、室内ユニット５内を通過する空気流にドレンパン５２に導入された水を付与する。【選択図】図２
2008151404.tif 000002
【特許請求の範囲】
【請求項１】
室外ユニット（２）と、
前記室外ユニットと分離されて設けられており、室内熱交換器（５１）と前記室内熱交換器の下側に配置されたドレンパン（５２）とを有する室内ユニット（５）と、
前記室内ユニットの外部から前記ドレンパンに水を導入する水導入部材（９）と、
前記室内ユニット内を通過する空気流に前記ドレンパンに導入された水を付与する加湿部材（６１）と、
を備えた空気調和装置（１）。
【請求項２】
前記水導入部材（９）は、前記ドレンパン（５２）で受けられた結露水を前記室内ユニット（５）の外部に排出するドレン管（８）の内部を通るように設けられている、
請求項１に記載の空気調和装置（１）。
【請求項３】
前記水導入部材（９）は、前記室外ユニット（２）まで延びており、
前記室外ユニットには、前記水導入部材に接続された水ポンプ（５０）が設けられている、
請求項１又は２に記載の空気調和装置（１）。
【請求項４】
前記ドレンパン（５２）には、前記ドレンパンの下部から前記ドレン管（８）を通じて水を排出する排水部（５２ａ）と、前記排水部の上側から前記水導入部材（９）を通じて水を導入する導水部（５２ｂ）とが設けられている、
請求項１〜３のいずれかに記載の空気調和装置（１）。
【請求項５】
前記導水部（５２ａ）と前記排水部（５２ｂ）との間には、水浄化膜（５２ｅ）が設けられている、請求項４に記載の空気調和装置（１）。
【請求項６】
前記ドレンパン（５２）には、前記水浄化膜（５２ｅ）によって浄化された水を受ける浄化水槽（５２ｆ）が設けられている、請求項５に記載の空気調和装置（１）。
【請求項７】
前記浄化水槽（５２ｆ）は、前記浄化水槽をオーバーフローした水が前記排水部（５２ａ）に導かれるように配置されている、請求項６に記載の空気調和装置（１）。
【請求項８】
前記加湿部材（６１）は、前記浄化水槽（５２ｆ）内の水を前記室内熱交換器（５１）付近に導くように設けられている、請求項６又は７に記載の空気調和装置（１）。
【請求項９】
前記加湿部材（６１）は、前記浄化水槽（５２ｆ）内の水を前記室内熱交換器（５１）の下流側に導くように設けられている、請求項６又は７に記載の空気調和装置（１）。
【請求項１０】
前記室内ユニット（５）は、送風ファン（５３）をさらに有しており、
前記加湿部材（６１）は、前記浄化水槽（５２ｆ）内の水を前記送風ファンの下流側に導くように設けられている、請求項６又は７に記載の空気調和装置（１）。
【請求項１１】
前記加湿部材（６１）は、前記浄化水槽（５２ｆ）内の水を毛細管現象によって吸い出す機能を有する部材である、請求項６〜１０のいずれかに記載の空気調和装置（１）。
【請求項１２】
前記加湿部材（６１）の表面には、透湿膜（６１ｂ）が設けられている、請求項１１に記載の空気調和装置（１）。
【請求項１３】
前記ドレンパン（５２）には、加湿を行う際に、前記排水部（５２ａ）からの水の排出を制限する排水制限機構（５２ｄ）が設けられている、請求項４〜１２のいずれかに記載の空気調和装置（１）。
【請求項１４】
前記室内ユニット（５）は、暖房時において、前記室外ユニット（２）から供給される冷媒と前記水導入部材（９）によって前記ドレンパン（５２）に導入される水とを熱交換させる補助熱交換器（５４）をさらに有している、請求項１〜１３のいずれかに記載の空気調和装置（１）。
【請求項１５】
前記補助熱交換器（５４）は、室内膨張機構（５５）を介して前記室内熱交換器（５１）に接続されるとともに、冷房時又は除湿時において、前記室外ユニット（２）から供給される冷媒と前記ドレンパン（５２）で受けられる結露水とを熱交換させることができるように前記室内ユニット（５）内に配置されている、請求項１４に記載の空気調和装置（１）。
【発明の詳細な説明】
【技術分野】
【０００１】
本発明は、空気調和装置、特に、室内熱交換器と室内熱交換器の下側に配置されたドレンパンとを有する室内ユニットを備えた空気調和装置に関する。
【背景技術】
【０００２】
従来より、室外ユニットと、室外ユニットと分離されて設けられた室内ユニットとを備えた空気調和装置がある。このような空気調和装置を構成する室内ユニットは、室内熱交換器と、室内熱交換器の下側に配置されたドレンパンとを有しており、冷房時や除湿時に室内熱交換器において発生した結露水をドレンパンで受けた後に、ドレン管を通じてドレン水として室内ユニットの外部に排出するように構成されている（例えば、特許文献１参照）。
【特許文献１】特開平１１−１７３５９３号公報
【発明の開示】
【発明が解決しようとする課題】
【０００３】
上述の空気調和装置においては、暖房時には、室内が乾燥するため、室内の加湿を行うために、室内ユニットに加湿機能を持たせることが望ましいが、室内ユニットに加湿機能を持たせようとすると、室内ユニットが大型化するという問題がある。
【０００４】
これに対して、室外ユニットに加湿ユニットを搭載し、加湿空気を生成させ、給気管を通じて加湿空気を室内ユニットに送り、室内ユニット内を通過する空気流とともに室内に吹き出させることで、室内の加湿を行うようにした空気調和装置も製品化されているが、これにより、室内ユニットの大型化を防ぐことは可能であるが、給気管を通じて室外から室内に加湿空気を送る方式が採用されていることから、加湿空気中の水分が給気管内において結露してしまい、室内の加湿に十分な水分を室内ユニットに供給できないという問題が生じるおそれがあること、また、給気管内における結露を防ぐために加湿ユニットにおける加湿空気の温度を高くすると、加湿ユニットにおける消費電力が大きくなるという問題がある。
【０００５】
本発明の課題は、室内ユニットの大型化を極力防ぎつつ、十分な加湿量の確保及び加湿時の省電力化が可能な空気調和装置を実現することにある。
【課題を解決するための手段】
【０００６】
第１の発明にかかる空気調和装置は、室外ユニットと、室外ユニットと分離されて設けられた室内ユニットと、水導入部材と、加湿部材とを備えている。室内ユニットは、室内熱交換器と、室内熱交換器の下側に配置されたドレンパンとを有している。水導入部材は、室内ユニットの外部からドレンパンに水を導入する。加湿部材は、室内ユニット内を通過する空気流にドレンパンに導入された水を付与する。
【０００７】
この空気調和装置では、ドレンパンを加湿用の水を受けるためのスペースとして利用するようにしているため、室内ユニットの大型化を極力防ぎつつ、室内ユニットに加湿機能を持たせることができ、しかも、水導入部材によって室内ユニットの外部からドレンパンに水を導入するようにしているため、加湿空気を外部から室内ユニットに送る方式を採用する場合に比べて、十分な加湿量の確保及び加湿時の省電力化が可能になる。
【０００８】
第２の発明にかかる空気調和装置は、第１の発明にかかる空気調和装置において、水導入部材は、ドレンパンで受けられた結露水を室内ユニットの外部に排出するドレン管の内部を通るように設けられている。
【０００９】
この空気調和装置では、水導入部材をドレン管の内部を通るように設けているため、水導入部材とドレン管との間の空気層による断熱効果を得ることができ、しかも、水導入部材をドレン管とともに設置できるため、施工が容易になる。
【００１０】
第３の発明にかかる空気調和装置は、第１又は第２の発明にかかる空気調和装置において、水導入部材は、室外ユニットまで延びており、室外ユニットには、水導入部材に接続された水ポンプが設けられている。
【００１１】
この空気調和装置では、水導入部材が室外ユニットまで延びており、室外ユニットには、水導入部材に接続された水ポンプが設けられているため、例えば、室外ユニットにおいて発生した凝縮水を加湿用の水として使用することができる。
【００１２】
第４の発明にかかる空気調和装置は、第１〜第３の発明のいずれかにかかる空気調和装置において、ドレンパンには、ドレンパンの下部からドレン管を通じて水を排出する排水部と、排水部の上側から水導入部材を通じて水を導入する導水部とが設けられている。
【００１３】
この空気調和装置では、水導入部材を通じてドレンパンに導入された水が排水部からすぐに排出されないようにできる。
【００１４】
第５の発明にかかる空気調和装置は、第４の発明にかかる空気調和装置において、導水部と排水部との間には、水浄化膜が設けられている。
【００１５】
この空気調和装置では、加湿用の水を浄化することができる。
【００１６】
第６の発明にかかる空気調和装置は、第５の発明にかかる空気調和装置において、ドレンパンには、水浄化膜によって浄化された水を受ける浄化水槽が設けられている。
【００１７】
この空気調和装置では、浄化された水を溜めておくことができる。
【００１８】
第７の発明にかかる空気調和装置は、第６の発明にかかる空気調和装置において、浄化水槽は、浄化水槽をオーバーフローした水が排水部に導かれるように配置されている。
【００１９】
この空気調和装置では、ドレンパン内において、導水部からドレンパンに導入された水が浄化水槽を経由して排水部から排出されるような水の流れを形成させることができるため、水導入部材を通じて外部から導入される水を加湿に極力使用できるようになる。
【００２０】
第８の発明にかかる空気調和装置は、第６又は第７の発明にかかる空気調和装置において、加湿部材は、浄化水槽内の水を室内熱交換器付近に導くように設けられている。
【００２１】
この空気調和装置では、室内熱交換器を通過する空気流に対して水を付与することができる。
【００２２】
第９の発明にかかる空気調和装置は、第６又は第７の発明にかかる空気調和装置において、加湿部材は、浄化水槽内の水を室内熱交換器の下流側に導くように設けられている。
【００２３】
この空気調和装置では、室内熱交換器を通過することで加熱された後の空気流に対して水を付与できるため、加湿量を増加させることができる。
【００２４】
第１０の発明にかかる空気調和装置は、第６又は第７の発明にかかる空気調和装置において、室内ユニットは、送風ファンをさらに有しており、加湿部材は、浄化水槽内の水を送風ファンの下流側に導くように設けられている。
【００２５】
この空気調和装置では、送風ファンの下流側の比較的高い流速の空気流に対して水を付与できるため、加湿量を増加させることができる。
【００２６】
第１１の発明にかかる空気調和装置は、第６〜第１０の発明のいずれかにかかる空気調和装置において、加湿部材は、浄化水槽内の水を毛細管現象によって吸い出す機能を有する部材である。
【００２７】
この空気調和装置では、室内ユニット内に加湿用の水を搬送するための水ポンプ等の機器を設置することなく、空気流に水を付与する位置まで加湿用の水を搬送することができる。
【００２８】
第１２の発明にかかる空気調和装置は、第１１の発明にかかる空気調和装置において、加湿部材の表面には、透湿膜が設けられている。
【００２９】
この空気調和装置では、透湿膜を通過した水蒸気のみが空気流に付与されることになり、加湿部材の表面からの水滴の飛散等を少なくすることができる。
【００３０】
第１３の発明にかかる空気調和装置は、第４〜第１２の発明のいずれかにかかる空気調和装置において、ドレンパンには、加湿を行う際に、排水部からの水の排出を制限する排水制限機構が設けられている。
【００３１】
この空気調和装置では、加湿時にはドレンパンに水を溜めることができるため、水導入部材を通じて外部から導入される水を加湿に極力使用できるようになる。
【００３２】
第１４の発明にかかる空気調和装置は、第１〜第１３の発明のいずれかにかかる空気調和装置において、室内ユニットは、暖房時において、室外ユニットから供給される冷媒と水導入部材によってドレンパンに導入される水とを熱交換させる補助熱交換器をさらに有している。
【００３３】
この空気調和装置では、加湿用の水を加熱することができるため、加湿量を増加させることができる。
【００３４】
第１５の発明にかかる空気調和装置は、第１４の発明にかかる空気調和装置において、補助熱交換器は、室内膨張機構を介して室内熱交換器に接続されるとともに、冷房時又は除湿時において、室外ユニットから供給される冷媒とドレンパンで受けられる結露水とを熱交換させることができるように室内ユニット内に配置されている。
【００３５】
この空気調和装置では、室内膨張機構によって冷凍サイクルの高圧から低圧への減圧を行う動作を伴う冷房時又は除湿時において、室内熱交換器において発生した結露水によって冷媒を冷却することができるため、冷房能力又は除湿能力を向上させることができる。
【発明の効果】
【００３６】
以上の説明に述べたように、本発明によれば、以下の効果が得られる。
【００３７】
第１の発明では、室内ユニットの大型化を極力防ぎつつ、室内ユニットに加湿機能を持たせることができ、十分な加湿量の確保及び加湿時の省電力化が可能になる。
【００３８】
第２の発明では、水導入部材とドレン管との間の空気層による断熱効果を得ることができ、しかも、水導入部材をドレン管とともに設置できるため、施工が容易になる。
【００３９】
第３の発明では、例えば、室外ユニットにおいて発生した凝縮水を加湿用の水として使用することができる。
【００４０】
第４の発明では、水導入部材を通じてドレンパンに導入された水が排水部からすぐに排出されないようにできる。
【００４１】
第５の発明では、加湿用の水を浄化することができる。
【００４２】
第６の発明では、浄化された水を溜めておくことができる。
【００４３】
第７の発明では、水導入部材を通じて外部から導入される水を加湿に極力使用できるようになる。
【００４４】
第８の発明では、室内熱交換器を通過する空気流に対して水を付与することができる。
【００４５】
第９の発明では、加湿量を増加させることができる。
【００４６】
第１０の発明では、加湿量を増加させることができる。
【００４７】
第１１の発明では、室内ユニット内に加湿用の水を搬送するための水ポンプ等の機器を設置することなく、空気流に水を付与する位置まで加湿用の水を搬送することができる。
【００４８】
第１２の発明では、加湿部材の表面からの水滴の飛散等を少なくすることができる。
【００４９】
第１３の発明では、水導入部材を通じて外部から導入される水を加湿に極力使用できるようになる。
【００５０】
第１４の発明では、加湿量を増加させることができる。
【００５１】
第１５の発明では、冷房能力又は除湿能力を向上させることができる。
【発明を実施するための最良の形態】
【００５２】
以下、図面に基づいて、本発明にかかる空気調和装置の実施形態について説明する。
【００５３】
（１）空気調和装置の概略構成
図１は、本発明の一実施形態にかかる空気調和装置１の配置図であり、図２は、空気調和装置１の概略構成図である。
【００５４】
この空気調和装置１は、主として、室外に設置される室外ユニット２と、室外ユニット２と分離されて設けられており壁Ｗの室内側の面等に取り付けられる室内ユニット５とを備えている。室外ユニット２は、室外冷媒ユニット３と、加湿用水生成ユニット４とを有している。室外冷媒ユニット３と室内ユニット５とは、冷媒連絡管６、７を介して接続されることで蒸気圧縮式の冷媒回路１０を構成している。また、室内ユニット５は、冷房運転や除湿運転の際に発生する結露水を、ドレン管８を通じて外部に排出することができるようになっている。加湿用水生成ユニット４は、吸湿材を用いて室外空気中に含まれる水分を集めて液状態の水を生成するためのユニットであり、この水を水導入部材としての水搬送管９を通じて室内ユニット５に導入することができるようになっている。尚、本実施形態において、加湿用水生成ユニット４は、室外冷媒ユニット３の上側に重ねられるように配置されている。また、冷媒連絡管６、７、ドレン管８及び水搬送管９は、空気調和装置１を設置場所に設置する際に、現地にて施工される管部材であり、壁Ｗを貫通して設けられており、水搬送管９は、詳細については後述するが、壁Ｗを貫通する部分も含めて、その大部分がドレン管８の内部を通るように設けられている。
【００５５】
（２）空気調和装置の機器構成及び冷媒回路構成
次に、空気調和装置１の機器構成及び冷媒回路構成について、図１〜図５を用いて説明する。ここで、図３は、本実施形態における室内ユニット５のドレンパン５２及び加湿部材６１の構成を示す概略断面図である。図４は、図１のＢ部分の拡大図である。図５（ａ）は、図３及び図４のＩ−Ｉ断面図であり、図５（ｂ）は、図４のＩＩ−ＩＩ断面図である。
【００５６】
−室外冷媒ユニット−
室外冷媒ユニット３は、主として、冷媒回路１０の一部を構成する室外側冷媒回路１０ａを有している。この室外側冷媒回路１０ａは、主として、圧縮機２１と、四路切換弁２２と、室外熱交換器２３と、室外膨張弁２４と、第１閉鎖弁２５と、第２閉鎖弁２６とを有している。
【００５７】
圧縮機２１は、本実施形態において、圧縮機駆動モータ２１ａによって駆動される密閉式圧縮機である。
【００５８】
四路切換弁２２は、冷媒回路１０内における冷媒の流れの方向を切り換えるための弁であり、圧縮機２１の吸入側、圧縮機２１の吐出側、室外熱交換器２３及び第２閉鎖弁２６に接続されている。四路切換弁２２は、冷房時や除湿時には、室外熱交換器２３を圧縮機２１によって圧縮される冷媒の冷却器として、かつ、室内ユニット５の室内熱交換器５１（後述）を室外熱交換器２３において冷却された冷媒の加熱器として機能させるために、圧縮機２１の吐出側と室外熱交換器２３の一端とを接続するとともに圧縮機２１の吸入側と第２閉鎖弁２６とを接続し（図１の四路切換弁２２の実線を参照）、暖房時には、室内熱交換器５１を圧縮機２１によって圧縮される冷媒の冷却器として、かつ、室外熱交換器２３を室内熱交換器５１において冷却された冷媒の加熱器として機能させるために、圧縮機２１の吐出側と第２閉鎖弁２６とを接続するとともに圧縮機２１の吸入側と室外熱交換器２３の一端とを接続することが可能である（図１の四路切換弁２２の破線を参照）。
【００５９】
室外熱交換器２３は、冷媒の冷却器又は加熱器として機能する熱交換器である。室外熱交換器２３は、その一端が四路切換弁２２に接続されており、その他端が室外膨張弁２４に接続されている。
【００６０】
室外冷媒ユニット３は、ユニット内に室外空気を吸入して、再び室外に排出するための室外ファン２７を有している。この室外ファン２７は、室外空気と室外熱交換器２３を流れる冷媒とを熱交換させることが可能である。室外ファン２７は、室外ファン駆動モータ２７ａによって回転駆動されるようになっている。
【００６１】
室外膨張弁２４は、冷媒を減圧するための電動膨張弁であり、その一端が室外熱交換器２３に接続され、その他端が第１閉鎖弁２５に接続されている。
【００６２】
第１閉鎖弁２５は、室外冷媒ユニット３と室内ユニット５との間で冷媒をやりとりするための第１冷媒連絡管６が接続される弁であり、室外膨張弁２４に接続されている。第２閉鎖弁２６は、室外冷媒ユニット３と室内ユニット５との間で冷媒をやりとりするための第２冷媒連絡管７が接続される弁であり、四路切換弁２２に接続されている。
【００６３】
−加湿用水生成ユニット−
加湿用水生成ユニット４は、主として、室外空気中に含まれる水分を集めて加湿空気を得る加湿空気生成部４１と、加湿空気生成部４１において得られた加湿空気中の水分を凝縮させて液状態の水を得る凝縮水生成部４２とを有している。
【００６４】
加湿空気生成部４１は、主として、吸湿ロータ４３と、ヒータ４４と、加湿ファン４５と、吸湿ファン４６とを有している。
【００６５】
吸湿ロータ４３は、概ね円板形状を有するハニカム構造のセラミックロータであり、空気が容易に通過できる構造となっている。具体的には、ここでは詳細は図示しないが、平面視において円形を有するロータであり、水平面で切った断面において細かいハニカム（蜂の巣）状になっている。そして、これらの断面が多角形である吸湿ロータの多数の筒部分を、第１空気流入流路４１ａを通じて導入される室外空気が通過する。吸湿ロータ４３の主たる部分は、ゼオライト、シリカゲル、あるいはアルミナといった吸着剤を焼成したものである。このゼオライト等の吸着剤は、接触する空気中の水分を吸着し、加熱されることで吸着した水分を脱着する性質を有している。この吸湿ロータ４３は、ロータ駆動モータ４３ａによって回転駆動することが可能である。
【００６６】
ヒータ４４は、吸湿ロータ４３の一部分４３ｂの一方の面を覆うように配置されており、第２空気流入流路４１ｂを通じて導入される室外空気を加熱して吸湿ロータ４３側へ送ることができるようになっている。
【００６７】
加湿ファン４５は、吸湿ロータ４３の部分４３ｂの他方の面側であってヒータ４４に対応する位置に配置されており、第２空気流入流路４１ｂを通じて導入される室外空気を、吸湿ロータ４３の部分４３ｂを通過させることができるようになっている。加湿ファン４５は、加湿ファンモータ４５ａによって回転する遠心ファンであり、その出口は凝縮水生成部４２に接続されており、水分を吸着した吸湿ロータ４３の部分４３ｂを通過して得られる加湿空気を凝縮水生成部４２に送ることができるようになっている。
【００６８】
吸湿ファン４６は、吸湿ロータ４３の部分４３ｂ以外の部分４３ｃの他方の面側に配置されており、第１空気流入流路４１ａを通じて導入される室外空気を吸湿ロータ４３の部分４３ｃを通過させることができるようになっている。吸湿ファン４６は、吸湿ファンモータ４６ａによって回転する遠心ファンであり、その出口は凝縮水生成部４２に接続されており、吸湿ロータ４３の部分４３ｃを通過する際に水分が吸着・除去されて得られる除湿空気を凝縮水生成部４２に送ることができるようになっている。
【００６９】
凝縮水生成部４２は、主として、加湿空気冷却器４７と、水分離器４８と、水溜め部４９と、水ポンプ５０とを有している。
【００７０】
加湿空気冷却器４７は、本実施形態において、吸湿ファン４６によって送風される除湿空気によって、加湿ファン４５によって送風される加湿空気を冷却して加湿空気中の水分を凝縮させて液状態の水を生成する熱交換器である。加湿空気冷却器４７には、第１空気流出流路４１ｃが接続されており、加湿空気冷却器４７を通過した除湿空気が第１空気流出流路４１ｃを通じてユニット外に排出されるようになっている。尚、加湿空気を冷却するための冷却源としては、吸湿ファン４６によって送風される除湿空気に限られず、例えば、別途室外空気をユニット内に導入し、この室外空気を加湿空気の冷却源にしてもよいし、室外冷媒ユニット３の室外ファン２７によって送風される室外空気の一部をユニット内に導入し、この室外空気を加湿空気の冷却源にしてもよい。
【００７１】
水分離器４８は、加湿空気冷却器４７において凝縮した水を空気中から分離する機器であり、例えば、ドレントラップ等からなる。水分離器４８には、第２空気流出流路４１ｄが接続されており、加湿空気冷却器４７を通過した加湿空気が第２空気流出流路４１ｄを通じてユニット外に排出されるようになっている。
【００７２】
水溜め部４９は、水分離器４８によって加湿空気中から分離された凝縮水を溜める容器である。
【００７３】
水ポンプ５０は、水溜め部４９に溜まった凝縮水を水搬送管９に送る機器である。水ポンプ５０は、水ポンプモータ５０ａによって回転されるようになっており、その出口は水搬送管９に接続されている。水溜め部４９に溜まった凝縮水は、この水ポンプ５０によって、水搬送管９を通じて室内ユニット５に導入されるようになっている。
【００７４】
−室内ユニット−
室内ユニット５は、主として、冷媒回路１０の一部を構成する室内側冷媒回路１０ｂを有している。この室内側冷媒回路１０ｂは、主として、室内熱交換器５１を有している。
【００７５】
室内熱交換器５１は、冷媒の加熱器又は冷却器として機能する熱交換器である。室内熱交換器５１は、その一端が第１冷媒連絡管６に接続され、その他端が第２冷媒連絡管７に接続されている。
【００７６】
室内ユニット５は、本実施形態において、ユニット内に空気を吸入して、再び室内に供給するための室内ファン５３を有しており、空気と室内熱交換器５１を流れる冷媒とを熱交換させることが可能である。室内ファン５３は、室内ファン駆動モータ５３ａによって回転駆動されるようになっている。また、室内ユニット５には、ユニット内に空気を吸入する空気吸入口５ａと、室内に空気を吹き出す空気吹出口５ｂとが形成されており、ユニット内に空気吸入口５ａと空気吹出口５ｂとを連通するとともに、室内熱交換器５１及び室内ファン５３が配置される空気流路Ｓが形成されている。本実施形態において、室内ファン５３は、空気流路Ｓ内の室内熱交換器５１の下流側に配置されている。
【００７７】
また、室内熱交換器５１の下側には、冷房時や除湿時に室内熱交換器５１において発生した結露水を受けるドレンパン５２が配置されている。そして、ドレンパン５２は、ドレンパン５２に溜まる水を、ドレン管８を通じてドレン水として室内ユニット５の外部に（ここでは、壁Ｗを貫通して室外まで）排出できるように構成されている。より具体的には、本実施形態において、ドレンパン５２の下部には、ドレン管８を通じて水を排出する排水部５２ａが設けられており、ドレンパン５２に溜まる水がドレン管８を通じて外部に排出できるようになっている。ここで、排水部５２ａは、ドレンパン５２の下部に設けられた開口からなる。また、ドレンパン５２は、室内ユニット５の外部から水搬送管９を通じて水（ここでは、加湿用水生成ユニット４において生成した水）を、加湿用水として導入することができるように構成されている。より具体的には、本実施形態において、ドレンパン５２の上部、すなわち、排水部５２ａの上側には、水搬送管９を通じて水を導入する導水部５２ｂが設けられており、加湿用水生成ユニット４において生成した水が水搬送管９を通じて外部から導入できるようになっている。ここで、導水部５２ｂは、ドレンパン５２の上部に設けられた開口からなる。
【００７８】
また、室内ユニット５は、室内ユニット５内を通過する空気流（ここでは、図３の矢印Ａで示される空気流）にドレンパン５２に導入された水を付与する加湿部材６１を有している。本実施形態において、加湿部材６１は、ドレンパン５２内の水を吸い出して室内ユニット５内を通過する空気流中にさらされるように配置されている。より具体的には、加湿部材６１は、主として、通気性及び吸水性を有する素材によって構成される吸水部材６１ａを有しており、その下端部からドレンパン５２に導入された水を毛細管現象によって吸い出すことができるようになっている。ここで、ドレンパン５２には、水搬送管９を通じて導水部５２ｂから導入される水を受ける副ドレンパン５２ｃが設けられており、この副ドレンパン５２ｃ内に、加湿部材６１（すなわち、吸水部材６１ａ）の下端部が配置されている。また、副ドレンパン５２ｃは、ドレンパン５２内に配置されており、副ドレンパン５２ｃをオーバーフローした水は、ドレンパン５２によって受けられて、排水部５２ａに導かれるようになっている。しかも、副ドレンパン５２ｃは、冷房時や除湿時に室内熱交換器５１から流下する結露水は受けることがないように（ここでは、室内熱交換器５１の下端部と上下方向に対向しないように）ドレンパン５２内に配置されている。また、加湿部材６１は、本実施形態において、ドレンパン５２内（ここでは、副ドレンパン５２ｃ内）の水を室内熱交換器５１付近に導くように設けられている。しかも、加湿部材６１は、本実施形態において、ドレンパン５２内の水を室内熱交換器５１の下流側に導くように設けられている。さらに、加湿部材６１（すなわち、吸水部材６１ａ）の表面には、その下端部を除いて、透湿膜６１ｂが設けられている。ここで、透湿膜６１ｂは、水は透過しないが水蒸気を透過する素材によって構成されている。
【００７９】
また、排水部５２ａに接続されたドレン管８は、主として、第１継手８１と第１ドレンホース８２と第２継手８３と第２ドレンホース８４とを有しており、室外まで延びている。また、導水部５２ｂに接続された水搬送管９は、主として、第１継手８１と水搬送ホース９１と第２継手８３とを有しており、室外ユニット２の加湿用水生成ユニット４まで延びている。第１継手８１は、ドレン管８及びドレン管８の内部を通るように設けられた水搬送管９をそれぞれドレンパン５２の排水部５２ａ側及び導水部５２ｂ側に分ける管継手であり、主として、継手本体部８１ａと水搬送管分岐部８１ｂとを有している。継手本体部８１ａは、直管形状の部分であり、その一端に排水部５２ａに嵌め込み等によって装着される第１装着部８１ｃと、その他端に第１ドレンホース８２の一端が嵌め込み等によって装着される第２装着部８１ｄとが形成されている。水搬送管分岐部８１ｂは、その一部が継手本体部８１ａ内を通過し、かつ、その他部が継手本体部８１ａを径方向に貫通する曲管形状の部分であり、その一端に導水部５２ｂに嵌め込み等によって装着される第３装着部８１ｅと、その他端に水搬送ホース９１の一端が嵌め込み等によって装着される第４装着部８１ｆとが形成されている。そして、第２装着部８１ｄと第４装着部８１ｆとの径方向間には、第２装着部８１ｄと第４装着部８１ｆとの径方向間にドレン水が流れる空間を確保するためのスペーサ部８１ｇが形成されている。第２継手８３は、ドレン管８及びドレン管８の内部を通るように設けられた水搬送管９をそれぞれ第２ドレンホース８４側及び加湿用水生成ユニット４側に分ける管継手であり、主として、継手本体部８３ａと水搬送管分岐部８３ｂとを有している。継手本体部８３ａは、直管形状の部分であり、その一端に第２ドレンホース８４に嵌め込み等によって装着される第１装着部８３ｃと、その他端に第１ドレンホース８２の他端が嵌め込み等によって装着される第２装着部８３ｄとが形成されている。水搬送管分岐部８３ｂは、その一部が継手本体部８３ａ内を通過し、かつ、その他部が継手本体部８３ａを径方向に貫通する曲管形状の部分であり、その一端に加湿用水生成ユニット４が接続されており、その他端に水搬送ホース９１の他端が嵌め込み等によって装着される第４装着部８３ｆが形成されている。そして、第２装着部８３ｄと第４装着部８３ｆとの径方向間には、第２装着部８３ｄと第４装着部８３ｆとの径方向間にドレン水が流れる空間を確保するためのスペーサ部８３ｇが形成されている。
【００８０】
（３）空気調和装置の動作
次に、空気調和装置１の動作について、図１〜図３を用いて説明する。
【００８１】
−冷房又は除湿−
冷房時又は除湿時は、四路切換弁２２が図２の実線で示される状態、すなわち、圧縮機２１の吐出側が室外熱交換器２３に接続され、かつ、圧縮機２１の吸入側が第２閉鎖弁２６に接続された状態となっている。室外膨張弁２４は、開度調節されるようになっている。また、閉鎖弁２５、２６は、開状態にされている。
【００８２】
この冷媒回路１０の状態において、圧縮機２１、室外ファン２７及び室内ファン５３を起動すると、低圧の冷媒は、圧縮機２１に吸入されて圧縮されて高圧の冷媒となる。その後、高圧の冷媒は、四路切換弁２２を経由して、冷媒の冷却器として機能する室外熱交換器２３に送られて、室外ファン２７によって供給される室外空気と熱交換を行って冷却される。そして、室外熱交換器２３において冷却された高圧の冷媒は、室外膨張弁２４によって減圧されて低圧の気液二相状態の冷媒となり、第１閉鎖弁２５及び第１冷媒連絡管６を経由して、室内ユニット５に送られる。この室内ユニット５に送られた低圧の気液二相状態の冷媒は、冷媒の加熱器として機能する室内熱交換器５１において、室内ファン５３によって空気吸入口５ａを通じて空気流路Ｓ内に吸入される空気と熱交換を行って加熱されることによって蒸発して低圧の冷媒となる。ここで、冷媒との熱交換によって冷却された空気中の水分の一部は、室内熱交換器５１において結露し、室内熱交換器５１の表面を流下してドレンパン５２に受けられた後に、ドレン管８を通じて、ドレン水として室内ユニット５の外部（ここでは、室外）に排出される。また、室内熱交換器５１において冷却された空気は、室内ファン５３を通過した後に、空気吹出口５ｂを通じて室内に吹き出される。そして、この室内熱交換器５１において加熱された低圧の冷媒は、第２冷媒連絡管７を経由して室外ユニット２に送られ、第２閉鎖弁２６及び四路切換弁２２を経由して、再び、圧縮機２１に吸入される。このようにして、冷房が行われる。
【００８３】
−暖房−
暖房時は、四路切換弁２２が図２の破線で示される状態、すなわち、圧縮機２１の吐出側が第２閉鎖弁２６に接続され、かつ、圧縮機２１の吸入側が室外熱交換器２３に接続された状態となっている。室外膨張弁２４は、開度調節されるようになっている。また、閉鎖弁２５、２６は、開状態にされている。
【００８４】
この冷媒回路１０の状態において、圧縮機２１、室外ファン２７及び室内ファン５３を起動すると、低圧の冷媒は、圧縮機２１に吸入されて圧縮されて高圧の冷媒となる。その後、この高圧の冷媒は、四路切換弁２２、第２閉鎖弁２６及び第２冷媒連絡管７を経由して、室内ユニット５に送られる。そして、室内ユニット５に送られた高圧の冷媒は、冷媒の冷却器として機能する室内熱交換器５１において、室内ファン５３によって空気吸入口５ａを通じて空気流路Ｓ内に吸入される空気と熱交換を行って冷却された後、第１冷媒連絡管６を経由して室外ユニット２に送られる。ここで、冷媒との熱交換によって加熱された空気は、室内ファン５３を通過した後に、空気吹出口５ｂを通じて室内に吹き出される。そして、室外ユニット２に送られた高圧の冷媒は、室外膨張弁２４によって減圧されて低圧の気液二相状態の冷媒となり、室外熱交換器２３に流入する。そして、冷媒の加熱器として機能する室外熱交換器２３に流入した低圧の気液二相状態の冷媒は、室外ファン２７によって供給される室外空気と熱交換を行って加熱されることによって蒸発して低圧の冷媒となり、四路切換弁２２を経由して、再び、圧縮機２１に吸入される。このようにして、暖房が行われる。
【００８５】
−加湿−
本実施形態の空気調和装置１では、暖房時に、加湿用水生成ユニット４及び室内ユニット５のドレンパン５２及び加湿部材６１を用いて、室内ユニット５内（ここでは、空気流路Ｓ内）を通過する空気流に水分を付与した後に室内に吹き出すことで、室内の加湿を行い、室内の乾燥を防ぐことができる。
【００８６】
まず、加湿用水生成ユニット４の加湿空気生成部４１においては、吸湿ファン４６を回転駆動することによって、第１空気流入流路４１ａを通じて、室外から室外空気がユニット内に導入される。このユニット内に導入された室外空気は、吸湿ロータ４３の部分４３ｃを通過する。ここで、ユニット内に室外から導入された室外空気は、吸湿ロータ４３の部分４３ｃを通過する際に、空気中に含まれている水分が吸着されて除去された除湿空気となる。この除湿空気は、吸湿ファン４６を通過して、加湿空気冷却器４７に送られることになる。そして、水分を吸着した吸湿ロータ４３の部分４３ｃは、吸湿ロータ４３が回転駆動されることによって、吸湿ロータ４３の水分が吸着されていない側の部分４３ｂと入れ換わることになる。すなわち、吸着された水分は、吸湿ロータ４３の回転に伴い、ヒータ４４及び加湿ファン４５に対応する位置に移動させられることになる。また、加湿空気生成部４１においては、加湿ファン４５を回転駆動することによって、第２空気流入流路４１ｂを通じて、室外から室外空気がユニット内に導入される。このユニット内に導入された室外空気は、ヒータ４４によって加熱されるため、水分を吸着した吸湿ロータ４３の部分４３ｂを通過する際に、ヒータ４４からの熱によって、吸湿ロータ４３に吸着されている水分が、空気中に脱離されて付与された加湿空気となる。この加湿空気は、加湿ファン４５を通過して、加湿空気冷却器４７に送られることになる。
【００８７】
次に、加湿用水生成ユニット４の凝縮水生成部４２においては、加湿空気冷却器４７において、除湿空気及び加湿空気との熱交換を行い、加湿空気を冷却する。ここで、加湿空気の冷却に使用された除湿空気は、第１空気流出流路４１ｃからユニット外に排出される。また、加湿空気は、除湿空気によって冷却されることによって、加湿空気生成部４１において付与された水分が再凝縮した状態で加湿空気冷却器４７を出て、水分離器４８において、凝縮水と再凝縮によって水分が除去された加湿空気とに分離される。そして、水分離器４８において水分が除去された加湿空気は、第２空気流出流路４１ｄからユニット外に排出され、凝縮水は、水溜め部４９に溜まることになる。そして、水溜め部４９に溜まった凝縮水は、加湿用水として、水ポンプ５０によって水搬送管９を通じて室内ユニット５に導入される。
【００８８】
次に、室内ユニット５の外部から室内ユニット５に導入された加湿用水は、ドレンパン５２（ここでは、副ドレンパン５２ｃ）に導入される。ドレンパン５２に導入された加湿用水は、加湿部材６１（より具体的には、吸水部材６１ａ）によって吸い出されて、室内熱交換器５１付近で、かつ、室内熱交換器５１の下流側に導かれることになる。そして、加湿部材６１によってドレンパン５２から吸い出された水は、加湿部材６１の表面に設けられた透湿膜６１ｂを通じて、室内熱交換器５１を通過した空気流に付与されることになる。この加湿部材６１によって水が付与された空気流は、空気吹出口５ｂを通じて室内に吹き出されるため、これにより、室内の加湿が行われることになる。
【００８９】
（４）空気調和装置の特徴
本実施形態の空気調和装置１には、以下のような特徴がある。
【００９０】
（Ａ）
本実施形態の空気調和装置１では、ドレンパン５２（ここでは、ドレンパン５２内に設けられた副ドレンパン５２ｃ）を加湿用の水を受けるためのスペースとして利用するようにしているため、室内ユニット５の大型化を極力防ぎつつ、室内ユニット５に加湿機能を持たせることができ、しかも、水搬送管９によって室内ユニット５の外部からドレンパン５２に水を導入するようにしているため、加湿空気を外部から室内ユニット５に送る方式を採用する場合に比べて、例えば、加湿空気中の水分が給気管内において結露したり、また、このような給気管内における結露を防ぐために加湿ユニットにおける加湿空気の温度を高くする必要がなくなることから、十分な加湿量の確保及び加湿時の省電力化が可能になっている。
【００９１】
（Ｂ）
本実施形態の空気調和装置１では、水導入部材としての水搬送管９をドレン管８の内部を通るように設けているため、水搬送管９とドレン管８との間の空気層による断熱効果を得ることができる。これにより、室内ユニット５の外部から水を送る際（ここでは、室外ユニット２の加湿用水生成ユニット４から室内ユニット５に加湿用水を送る際）に、水が室外空気等によって冷却されて加湿性能が低下してしまうのを防ぐことができる。
【００９２】
しかも、水搬送管９をドレン管８とともに設置できるため、空気調和装置１の現地における施工が容易になる。特に、本実施形態では、ドレン管８の内部を通る水搬送管９を分岐させる際に、第１継手８１や第２継手８３を用いるようにしているため、さらに施工が容易になっている。また、第１継手８１や第２継手８３には、ドレン水が流れる空間を確保するためのスペーサ部８１ｇやスペーサ部８３ｇが形成されているため、水搬送管９をドレン管８の内部を通るように設けることに起因して、ドレン管８からの排水が阻害される等の不具合も生じにくくなっている。さらに、加湿空気を外部から室内ユニット５に送る方式を採用する場合に比べて、給気管も不要になる。
【００９３】
（Ｃ）
本実施形態の空気調和装置１では、水搬送管９が室外ユニット２（ここでは、加湿用水生成ユニット４）まで延びており、室外ユニット２（ここでは、加湿用水生成ユニット４）には、水搬送管９に接続された水ポンプ５０が設けられているため、例えば、室外ユニット２（ここでは、加湿用水生成ユニット４）において発生した凝縮水を加湿用の水として使用することができる。また、室外ユニット２と室内ユニット５との間に高低差があっても、水を室内ユニット５に搬送することが可能である。
【００９４】
（Ｄ）
本実施形態の空気調和装置１では、ドレンパン５２には、ドレンパン５２の下部からドレン管８を通じて水を排出する排水部５２ａと、排水部５２ａの上側から水搬送管９を通じて水を導入する導水部５２ｂとが設けられているため、水搬送管９を通じてドレンパン５２に導入された水が排水部５２ａからすぐに排出されないようにできるようになっている。また、本実施形態のように、副ドレンパン５２ｃも設置しやすくなる。
【００９５】
（Ｅ）
本実施形態の空気調和装置１では、水搬送管９を通じてドレンパン５２に導入された水を溜める副ドレンパン５２ｃがドレンパン５２内に設けられており、この副ドレンパン５２ｃは、副ドレンパン５２ｃをオーバーフローした水が排水部５２ａに導かれるように配置されているため、ドレンパン５２内において、導水部５２ｂからドレンパン５２に導入された水が副ドレンパン５２ｃを経由して排水部５２ａから排出されるような水の流れを形成させることができるようになる。これにより、水搬送管９を通じて外部から導入される水を加湿に極力使用できるようになる。また、この副ドレンパン５２ｃは、室内熱交換器５１の下端部と上下方向に対向しないように、ドレンパン５２内に配置されているため、冷房時や除湿時に室内熱交換器５１から流下する結露水を受けて溜まったままになることがないようになっている。
【００９６】
（Ｆ）
本実施形態の空気調和装置１では、加湿部材６１がドレンパン５２（ここでは、副ドレンパン５２ｃ）内の水を室内熱交換器５１付近に導くように設けられているため、室内熱交換器５１を通過する空気流に対して水を付与することができるようになっている。しかも、加湿部材６１は、ドレンパン５２（ここでは、副ドレンパン５２ｃ）内の水を室内熱交換器５１の下流側に導くように設けられているため、室内熱交換器５１を通過することで加熱された後の空気流に対して水を付与できるため、加湿量を増加させることができるようになっている。
【００９７】
（Ｇ）
本実施形態の空気調和装置１では、加湿部材６１がドレンパン５２（ここでは、副ドレンパン５２ｃ）内の水を毛細管現象によって吸い出す機能を有する部材であるため、室内ユニット５内に加湿用の水を搬送するための水ポンプ等の機器を設置することなく、空気流に水を付与する位置まで加湿用の水を搬送することができるようになっている。
【００９８】
（Ｈ）
本実施形態の空気調和装置１では、加湿部材６１の表面に透湿膜６１ｂが設けられているため、加湿時において、透湿膜６１ｂを通過した水蒸気のみが空気流に付与されることになり、加湿部材６１の表面からの水滴の飛散等を少なくすることができるようになっている。
【００９９】
（５）変形例１
上述の実施形態においては、ドレンパン５２内に副ドレンパン５２ｃを設けることによって、副ドレンパン５２ｃをオーバーフローする水以外の水が排水部５２ａから排水されないようにしているが、図６に示されるように、副ドレンパン５２ｃを省略して、排水部５２ａからの水の排出を制限する排水制限機構としての排水弁５２ｄを設けて、加湿を行う際には、この排水弁５２ｄによって排水部５２ａを閉止し、冷房時や除湿時のような加湿を行わない場合には、この排水弁５２ｄによって排水部５２ａを開放するようにしてもよい。
【０１００】
本変形例にかかる空気調和装置１では、加湿時にドレンパン５２に水を溜めることができるため、加湿部材６１の下端部をドレンパン５２の底面近くに配置して水を吸い出すことができるようにすることで、水搬送管９を通じて室内ユニット５の外部（ここでは、室外ユニット２の加湿用水生成ユニット４）から導入される水を加湿に極力使用することができるようになる。
【０１０１】
（６）変形例２
上述の変形例１において、図７に示されるように、水搬送管９を通じて導水部５２ｂから導入される水を浄化するために、導水部５２ｂと排水部５２ａとの間に水浄化膜５２ｅを設けるようにしてもよい。
【０１０２】
本変形例にかかる空気調和装置１では、水搬送管９を通じて室内ユニット５の外部（ここでは、室外ユニット２の加湿用水生成ユニット４）からドレンパン５２に導入される水を浄化することができるため、加湿部材６１が汚れたり、室内ユニット５から室内に吹き出される空気流が汚れるのを防ぐことができるようになる。
【０１０３】
（７）変形例３
上述の変形例２において、図８に示されるように、水浄化膜５２ｅによって、水搬送管９を通じて室内ユニット５の外部（ここでは、室外ユニット２の加湿用水生成ユニット４）からドレンパン５２に導入される水を浄化した後に、この浄化された水を受ける浄化水槽５２ｆを設けるとともに、加湿部材６１の下端部を浄化水槽５２ｆ内に配置して、浄化水槽５２ｆ内の水を吸い出すことができるようにしてもよい。
【０１０４】
本変形例にかかる空気調和装置１では、水浄化膜によって浄化された水を溜めておくことができるため、加湿部材６１が汚れたり、室内ユニット５から室内に吹き出される空気流が汚れるのを確実に防ぐことができるようになる。
【０１０５】
（８）変形例４
上述の変形例３において、図９に示されるように、浄化水槽５２ｆが、浄化水槽５２ｆをオーバーフローした水が排水部５２ａに導かれるように配置されるようにしてもよい。
【０１０６】
本変形例にかかる空気調和装置１では、ドレンパン５２内において、導水部５２ｂからドレンパン５２に導入された水が浄化水槽５２ｆを経由して排水部５２ａから排出されるような水の流れを形成させることができるため、水搬送管９を通じて室内ユニット５の外部から導入される水を加湿に極力使用できるようになる。しかも、排水部５２ａからの水の排出を制限する排水制限機構としての排水弁５２ｄを省略することも可能になる。
【０１０７】
（９）変形例５
上述の実施形態及び変形例１〜４においては、加湿部材６１がドレンパン５２（又は、副ドレンパン５２ｃや浄化水槽５２ｆ）内の水を室内熱交換器５１付近に導くように設けられているが、加湿部材６１がドレンパン５２（又は、副ドレンパン５２ｃや浄化水槽５２ｆ）内の水を室内ファン５３の下流側に導くように設けられていてもよい。例えば、図１０及び図１１に示されるように、上述の実施形態において、ドレンパン５２内の水を室内ファン５３の下流側に導くように加湿部材６１を設けることができる。
【０１０８】
本変形例にかかる空気調和装置１では、室内ファン５３の下流側の比較的高い流速の空気流に対して水を付与できるため、加湿量を増加させることができるようになる。しかも、本変形例のように、室内熱交換器５１の下流側で、かつ、室内ファン５３の下流側に水を導くことができるように加湿部材６１を設ける場合には、さらに加湿量を増加させることができるようになる。
【０１０９】
（１０）変形例６
上述の実施形態及び変形例１〜５においては、室内熱交換器５１の下端部がドレンパン５２（又は、副ドレンパン５２ｃや浄化水槽５２ｆ）の上側に配置されているが、暖房時において、室外ユニット２（ここでは、室外冷媒ユニット３）から供給される冷媒と、水搬送管９によって室内ユニット５の外部（ここでは、加湿用水生成ユニット４）からドレンパン５２（又は、副ドレンパン５２ｃや浄化水槽５２ｆ）に導入される水と熱交換させる補助熱交換器をさらに有するようにしてもよい。例えば、図１２及び図１３に示されるように、上述の実施形態において、暖房時における室内熱交換器５１の下流側に、室内熱交換器５１と第１冷媒連絡管６との間を流れる冷媒によって、副ドレンパン５２ｃ内の水を加熱することができるように補助熱交換器５４を設けることができる。
【０１１０】
本変形例にかかる空気調和装置１では、加湿用の水を加熱することができるため、加湿量を増加させることができるようになる。
【０１１１】
（１１）変形例７
上述の変形例６においては、暖房時における室内熱交換器５１の下流側に、室内熱交換器５１と第１冷媒連絡管６との間を流れる冷媒によって、副ドレンパン５２ｃ内の水を加熱する補助熱交換器５４を設けるようにしているが、これに加えて、図１４及び図１５に示されるように、室内熱交換器５１との間に室内膨張機構としての室内膨張弁５５を設けるとともに、補助熱交換器５４をドレンパン５２内の室内熱交換器５１から流下する結露水が受けられる部分にも対応するように配置することで、冷房時又は除湿時において、室外ユニット２（ここでは、室外冷媒ユニット３）から供給される冷媒と、室内熱交換器５１において発生したドレンパン５２で受けられる結露水とを熱交換させることができるようにしてもよい。
【０１１２】
本変形例にかかる空気調和装置１では、室内膨張弁５５によって冷凍サイクルの高圧から低圧への減圧を行う動作を伴う冷房時又は除湿時において、室内熱交換器５１において発生した結露水によって冷媒を冷却することができるため、冷房能力又は除湿能力を向上させることができるようになる。
【０１１３】
（１２）変形例８
上述の実施形態及び変形例１〜７においては、加湿部材６１として、吸水部材６１ａの表面に透湿膜６１ｂを設けたものを使用したが、これに限定されず、例えば、図１６に示されるように、吸水部材６１ａによってドレンパン５２から吸い出された水を室内熱交換器５１の上部等から滴下素子６１ｃを介して滴下させることによって、室内ユニット５内を通過する空気流に水を付与するようにしてもよいし、また、図１７に示されるように、吸水部材６１ａを断面視が環状になるように構成し、図示しないモータ等によってローラ６１ｄを回転させることで室内熱交換器５１の上部と下部との間を循環させることによって、室内ユニット５内を通過する空気流に水を付与するようにしてもよい。
【０１１４】
（１３）変形例９
上述の実施形態及び変形例１〜８においては、室外ユニット２を構成する加湿用水生成ユニット４によって得られる水を、室内ユニット５における加湿用の水源としているが、これに限定されず、ここでは図示しないが、室外ユニット２の室外冷媒ユニット３において発生したドレン水を室内ユニット５における加湿用の水源としてもよいし、また、水道管を水搬送管９に直結することで、水道水を室内ユニット５における加湿用の水源としてもよい。
【産業上の利用可能性】
【０１１５】
本発明を利用すれば、室内ユニットの大型化を極力防ぎつつ、十分な加湿量の確保及び加湿時の省電力化が可能な空気調和装置を実現することができる。
【図面の簡単な説明】
【０１１６】
【図１】本発明の一実施形態にかかる空気調和装置の配置図である。
【図２】本発明の一実施形態にかかる空気調和装置の概略構成図である。
【図３】本発明の一実施形態における室内ユニットのドレンパン及び加湿部材の構成を示す概略断面図である。
【図４】図１のＢ部分の拡大図である。
【図５】（ａ）図３及び図４のＩ−Ｉ断面図であり、（ｂ）図４のＩＩ−ＩＩ断面図である。
【図６】変形例１における室内ユニットのドレンパン及び加湿部材の構成を示す概略断面図である。
【図７】変形例２における室内ユニットのドレンパン及び加湿部材の構成を示す概略断面図である。
【図８】変形例３における室内ユニットのドレンパン及び加湿部材の構成を示す概略断面図である。
【図９】変形例４における室内ユニットのドレンパン及び加湿部材の構成を示す概略断面図である。
【図１０】変形例５における空気調和装置の配置図である。
【図１１】変形例５における空気調和装置の概略構成図である。
【図１２】変形例６における空気調和装置の概略構成図である。
【図１３】変形例６における室内ユニットのドレンパン及び加湿部材の構成を示す概略断面図である。
【図１４】変形例７における空気調和装置の概略構成図である。
【図１５】変形例７における室内ユニットのドレンパン及び加湿部材の構成を示す概略断面図である。
【図１６】変形例８における室内ユニットのドレンパン及び加湿部材の構成を示す概略断面図である。
【図１７】変形例８における室内ユニットのドレンパン及び加湿部材の構成を示す概略断面図である。
【符号の説明】
【０１１７】
１  空気調和装置
２  室外ユニット
５  室内ユニット
８  ドレン管
９  水搬送管（水導入部材）
５０  水ポンプ
５１  室内熱交換器
５２  ドレンパン
５２ａ  排水部
５２ｂ  導水部
５２ｄ  排水弁（排水制限機構）
５２ｅ  水浄化膜
５２ｆ  水浄化槽
５３  室内ファン（送風ファン）
５４  補助熱交換器
５５  室内膨張弁（室内膨張機構）
６１  加湿部材
６１ｂ  透湿膜
【図１】
2008151404.tif 000003
【図２】
2008151404.tif 000004
【図３】
2008151404.tif 000005
【図４】
2008151404.tif 000006
【図５】
2008151404.tif 000007
【図６】
2008151404.tif 000008
【図７】
2008151404.tif 000009
【図８】
2008151404.tif 000010
【図９】
2008151404.tif 000011
【図１０】
2008151404.tif 000012
【図１１】
2008151404.tif 000013
【図１２】
2008151404.tif 000014
【図１３】
2008151404.tif 000015
【図１４】
2008151404.tif 000016
【図１５】
2008151404.tif 000017
【図１６】
2008151404.tif 000018
【図１７】
2008151404.tif 000019